(57)【要約】【課題】電波を送出することなく、同報送信されたデータを受信することができる無線通信装置を提供すること。【解決手段】携帯電話機１は、ＢＣＭＣＳ送信がされる時刻を記憶する記憶部３４と、ＢＣＭＣＳ送信のチャネルを捕捉可能なＥＶＤＯと、ＣＤＭＡ２０００＿１ｘとに対応する通信部３１と、電波を送出しない電波非送出状態への遷移が指示された状態において、記憶部３４に記憶された時刻に、ＣＤＭＡ２０００＿１ｘを使用することなくＥＶＤＯを使用して通信部３１により、ＢＣＭＣＳ送信されるデータの受信を開始するよう制御する制御部３０と、を備える。【選択図】図２
2010232906.tif 000002
【特許請求の範囲】
【請求項１】
無線により同報送信されたデータを受信する無線通信装置であって、
前記同報送信がされる時刻を記憶する記憶部と、
前記同報送信のチャネルを捕捉可能な第１の通信プロトコルと、当該第１の通信プロトコルとは異なる第２の通信プロトコルとに対応する通信部と、
電波を送出しない電波非送出状態への遷移が指示された状態において、前記記憶部に記憶された時刻に、前記第２の通信プロトコルを使用することなく前記第１の通信プロトコルを使用して前記通信部により、前記同報送信されるデータの受信を開始するよう制御する制御部と、を備える無線通信装置。
【請求項２】
前記制御部は、前記記憶部に記憶された時刻よりも第１の時間前に、前記通信部に前記第１の通信プロトコルを使用して前記チャネルのスキャンを開始させることを特徴とする請求項１に記載の無線通信装置。
【請求項３】
前記同報送信されるデータは、前記チャネルにおいて、第２の時間周期で送信されている報知情報にて指定されるデータであることを特徴とする請求項１または２に記載の無線通信装置。
【請求項４】
前記通信部は、前記チャネルを捕捉した後、当該チャネルで少なくとも前記第２の時間の連続受信状態を維持して前記報知情報を受信し、
前記制御部は、前記報知情報に基づいて、前記同報送信されるデータの受信を開始することを特徴とする請求項３に記載の無線通信装置。
【請求項５】
前記制御部は、前記電波非送出状態への遷移が指示された状態において前記第１の通信プロトコルを使用して前記データを受信する際に、送信を行なわないように前記通信部を制御することを特徴とする請求項１から４のいずれか一項に記載の無線通信装置。
【請求項６】
前記制御部は、前記電波非送出状態への遷移が指示される前に取得したパラメータを用いて、前記電波非送出状態での通信セッション確立を行うことを特徴とする請求項１から５のいずれか一項に記載の無線通信装置。
【発明の詳細な説明】
【技術分野】
【０００１】
本発明は、同報送信されたデータを受信する無線通信装置に関する。
【背景技術】
【０００２】
従来、携帯電話機等の無線通信装置においては、例えば、音声通話が可能なＣＤＭＡ２０００＿１ｘ方式や、データ通信専用のＣＤＭＡ２０００＿１ｘ＿ＥＶＤＯ（Ｅｖｏｌｕｔｉｏｎ  Ｄａｔａ  Ｏｎｌｙ、あるいはＥｖｏｌｕｔｉｏｎ  Ｄａｔａ  Ｏｐｔｉｍｉｚｅｄ）方式等、複数の通信システムが存在している。
【０００３】
また、ＥＶＤＯ方式においては、ＢＣＭＣＳ（Ｂｒｏａｄ−Ｃａｓｔ  Ｍｕｌｔｉ−Ｃａｓｔ  Ｓｅｒｖｉｃｅ）と呼ばれる同報送信のサービスが提供されている。ＢＣＭＣＳでは、ＣＤＭＡ２０００＿１ｘ＿ＥＶＤＯの通信エリア内の無線通信装置に向けて、コンテンツデータを一斉配信する。無線通信装置は、受信したいコンテンツの情報を予め登録しておく。そして、無線通信装置は、登録したコンテンツの配信開始時刻になると、配信エリア内で周期的に送信されている報知情報を受信し、登録コンテンツが配信されていることを確認すると、コンテンツデータの受信を開始する。
【０００４】
ところが、無線通信装置の電源がオフとなった場合にはデータ受信が中断され、また、配信時間に電源がオフである場合には受信が開始されない。ＢＣＭＣＳは、所定の時間に受信できなければ、改めてサーバとの通信を確立してデータを受信する必要があるため、データ要求に対して別途操作や課金が発生していた。そこで、電源オフ中にもデータを受信して蓄積する方法（例えば、特許文献１参照）が考えられる。
【先行技術文献】
【特許文献】
【０００５】
【特許文献１】特開２００７−３２９９６１号公報
【発明の概要】
【発明が解決しようとする課題】
【０００６】
しかしながら、特許文献１の方法では、電源オフ時にデータ受信するために、基地局との認証等のための上りデータが生じる。その結果、無線通信装置からの電波送出が生じるので、例えば病院や電車内等、電波送出が規制されている場所では、この無線通信装置を使用することができない。すなわち、電源オフや通信を制限した電波オフ等、電波を送出しないことを指示された状態において、この方法を採用することはできなかった。
【０００７】
本発明は、電波を送出することなく、同報送信されたデータを受信することができる無線通信装置を提供することを目的とする。
【課題を解決するための手段】
【０００８】
本発明に係る無線通信装置は、無線により同報送信されたデータを受信する無線通信装置であって、前記同報送信がされる時刻を記憶する記憶部と、前記同報送信のチャネルを捕捉可能な第１の通信プロトコルと、当該第１の通信プロトコルとは異なる第２の通信プロトコルとに対応する通信部と、電波を送出しない電波非送出状態への遷移が指示された状態において、前記記憶部に記憶された時刻に、前記第２の通信プロトコルを使用することなく前記第１の通信プロトコルを使用して前記通信部により、前記同報送信されるデータの受信を開始するよう制御する制御部と、を備える。
【０００９】
また、前記制御部は、前記記憶部に記憶された時刻よりも第１の時間前に、前記通信部に前記第１の通信プロトコルを使用して前記チャネルのスキャンを開始させることが好ましい。
【００１０】
また、前記同報送信されるデータは、前記チャネルにおいて、第２の時間周期で送信されている報知情報にて指定されるデータであることが好ましい。
【００１１】
また、前記通信部は、前記チャネルを捕捉した後、当該チャネルで少なくとも前記第２の時間の連続受信状態を維持して前記報知情報を受信し、前記制御部は、前記報知情報に基づいて、前記同報送信されるデータの受信を開始することが好ましい。
【００１２】
また、前記制御部は、前記電波非送出状態への遷移が指示された状態において前記第１の通信プロトコルを使用して前記データを受信する際に、送信を行なわないように前記通信部を制御することが好ましい。
【００１３】
また、前記制御部は、前記電波非送出状態への遷移が指示される前に取得したパラメータを用いて、前記電波非送出状態での通信セッション確立を行うことが好ましい。
【発明の効果】
【００１４】
本発明によれば、無線通信装置は、電波を送出することなく、同報送信されたデータを受信することができる。
【図面の簡単な説明】
【００１５】
【図１】本発明の実施形態に係る携帯電話機の外観斜視図である。
【図２】本発明の実施形態に係る携帯電話機の機能を示すブロック図である。
【図３】本発明の実施形態に係る携帯電話機の電源がオンである場合のＢＣＭＣＳ受信の処理を示すフローチャートである。
【図４】本発明の実施形態に係るＢＣＭＣＳの報知情報を受信する方法を示す図である。
【図５】本発明の実施形態に係る携帯電話機の電源がオフである場合のＢＣＭＣＳ受信の処理を示すフローチャートである。
【発明を実施するための形態】
【００１６】
以下、本発明の好適な実施形態の一例について説明する。なお、本実施形態では、無線通信装置の一例として、携帯電話機１を説明する。なお、本発明の無線通信装置はこれには限られず、例えば、ＰＨＳやＰＤＡ（Ｐｅｒｓｏｎａｌ  Ｄｉｇｉｔａｌ  Ａｓｓｉｓｔａｎｔ）の他、通信機能を備えたナビゲーション装置やパーソナルコンピュータ、さらには、これらに接続される通信モジュール等、様々な無線通信装置に適用可能である。
【００１７】
図１は、本実施形態に係る携帯電話機１（無線通信装置）の外観斜視図である。なお、図１は、いわゆる折り畳み型の携帯電話機の形態を示しているが、本発明に係る携帯電話機の形態はこれに限られない。例えば、両筐体を重ね合わせた状態から一方の筐体を一方向にスライドさせるようにしたスライド式や、重ね合せ方向に沿う軸線を中心に一方の筐体を回転させるようにした回転式（ターンタイプ）や、操作部と表示部とが１つの筐体に配置され、連結部を有さない形式（ストレートタイプ）でもよい。
【００１８】
携帯電話機１は、操作部側筐体２と、表示部側筐体３と、を備えて構成される。操作部側筐体２は、表面部１０に、操作部１１と、携帯電話機１の使用者が通話時に発した音声が入力されるマイク１２と、を備えて構成される。操作部１１は、各種設定機能や電話帳機能やメール機能等の各種機能を作動させるための機能設定操作ボタン１３と、電話番号の数字やメールの文字等を入力するための入力操作ボタン１４と、各種操作における決定やスクロール等を行う決定操作ボタン１５と、から構成されている。
【００１９】
また、表示部側筐体３は、表面部２０に、各種情報を表示するための表示部２１と、通話の相手側の音声を出力するレシーバ２２と、を備えて構成されている。
【００２０】
また、操作部側筐体２の上端部と表示部側筐体３の下端部とは、ヒンジ機構４を介して連結されている。また、携帯電話機１は、ヒンジ機構４を介して連結された操作部側筐体２と表示部側筐体３とを相対的に回転することにより、操作部側筐体２と表示部側筐体３とが互いに開いた状態（開放状態）にしたり、操作部側筐体２と表示部側筐体３とを折り畳んだ状態（折畳み状態）にしたりできる。
【００２１】
図２は、本実施形態に係る携帯電話機１の機能を示すブロック図である。携帯電話機１は、操作部１１と、表示部２１と、制御部３０と、通信部３１と、アンテナ３２と、音声制御部３３と、記憶部３４と、を備える。
【００２２】
制御部３０は、携帯電話機１の全体を制御しており、例えば、表示部２１、通信部３１、音声制御部３３等に対して所定の制御を行う。また、制御部３０は、操作部１１等から入力を受け付けて、各種処理を実行する。そして、制御部３０は、処理実行の際には、記憶部３４を制御し、各種プログラムおよびデータの読み出し、およびデータの書き込みを行う。
【００２３】
通信部３１は、所定の使用周波数帯（例えば、２ＧＨｚ帯や８００ＭＨｚ帯等）で外部装置（基地局）と通信を行う。そして、通信部３１は、アンテナ３２より受信した信号を復調処理し、処理後の信号を制御部３０に供給し、また、制御部３０から供給された信号を変調処理し、アンテナ３２から外部装置に送信する。
【００２４】
ここで、通信部３１は、データ通信専用の通信プロトコルであるＥＶＤＯ（第１の通信プロトコル）と、音声通話を提供する音声通信プロトコルであるＣＤＭＡ２０００＿１ｘ（第２の通信プロトコル）と、の双方に対応している。通信部３１は、制御部３０からの指令に基づいて、一方の通信プロトコルにより通信を行う。また、例えば時分割により双方の通信プロトコルにより通信を行ってもよい。本実施形態では、通信部３１は、ＥＶＤＯにより、ＢＣＭＣＳの配信データ（コンテンツデータ）を受信する。
【００２５】
音声制御部３３は、制御部３０の制御に従って、通信部３１から供給された信号に対して所定の音声処理を行い、処理後の信号をレシーバ２２に出力する。レシーバ２２は、音声制御部３３から供給された信号を外部に出力する。なお、この信号は、レシーバ２２に代えて、または、レシーバ２２と共に、スピーカ（図示せず）から出力されるとしてもよい。
【００２６】
また、音声制御部３３は、制御部３０の制御に従って、マイク１２から入力された信号を処理し、処理後の信号を通信部３１に出力する。通信部３１は、音声制御部３３から供給された信号に所定の処理を行い、処理後の信号をアンテナ３２より出力する。
【００２７】
記憶部３４は、例えば、ワーキングメモリを含み、制御部３０による演算処理に利用される。また、本実施形態に係る各種プログラムやパラメータ等を記憶する。なお、記憶部３４は、着脱可能な外部メモリを兼ねていてもよい。
【００２８】
ここで、ＢＣＭＣＳのサービス内容について説明する。ＢＣＭＣＳのサービスとしては、大きく分けて２つがある。第１に蓄積型コンテンツの配信、第２がタイムリー配信である。
【００２９】
まず、前者は、予めユーザがコンテンツ事業者と情報配信の契約を交わしておくことが一般的である。このコンテンツ事業者は、各契約ユーザに、データを配信する時間を通知しておく。端末は、このように予め通知された時間に、ＥＶＤＯプロトコルを用いて、基地局から送信されるデータを継続して受信することで必要な情報を取得する。なお、ここで配信されるデータは、タイムリー配信でのデータサイズに比して明らかに大型であり、そのデータの受信継続時間は数分以上に及ぶこともある。このため、トラフィック負荷の少ない、なおかつユーザによる操作の発生可能性が少ない深夜帯での配信が好まれる傾向にある。
【００３０】
次に、後者は、天気予報や断片的な時事ニュースなどの、小さいサイズのデータ配信によく用いられるサービスである。このサービスもまた、ＥＶＤＯプロトコルを用いて、指定時間に受信動作を開始するものではあるものの、その受信に要する時間が前者とは大幅に異なる。具体的には、その時々の通信技術レベルやトラフィック状況によるものの、前者が数分から数十分であることに対し、後者は数秒から数十秒程度である。そして、後者は、例えば1時間周期の決められた時刻に、データを受信する動作に入ることになる。
【００３１】
［電源オンの場合］
図３は、本実施形態に係る携帯電話機１の電源がオンである場合のＢＣＭＣＳ受信の処理を示すフローチャートである。
【００３２】
ステップＳ１では、制御部３０は、ＥＶＤＯ通信が可能な周波数チャネルのスキャンを開始する。このとき、制御部３０は、記憶部３４に記憶されたＰＲＬと呼ばれる周波数リストに従って、バンドクラスの優先順にバンドクラス内の周波数を順にスキャンし、所定以上の電界強度をもつ周波数チャネルを捕捉する。
【００３３】
ところで、ＣＤＭＡ２０００＿１ｘ方式およびＥＶＤＯ方式では、各通信システム、つまり１つの周波数帯（バンドクラス）内においても、使用することのできる周波数チャネルは複数存在している。また、日本においては、従来バンドクラス３のいわゆる旧８００ＭＨｚ帯のみでＣＤＭＡ２０００＿１ｘ方式を賄ってきたが、周波数帯域の見直しにより、使用可能なバンドクラスが現在は追加されている。すなわち、上り下りの周波数帯域を入れ替えると共に周波数チャネルをバンドクラス０に準拠するよう見直した、いわゆる新８００ＭＨｚ帯と、さらに高周波のバンドクラス６の２ＧＨｚ帯が使用できるようになっている。
【００３４】
ステップＳ２では、制御部３０は、ステップＳ１でＥＶＤＯのスキャンに成功したか否かを判定する。この判定がＹＥＳの場合は、ＥＶＤＯ通信が可能な周波数チャネルが捕捉できたので、ステップＳ３に移る。一方、判定がＮＯの場合は、ステップＳ１に戻り周波数チャネルのスキャンを継続する。
【００３５】
ステップＳ３では、制御部３０は、携帯電話機１を識別するための固有のＩＤであるＵＡＴＩ（Ｕｎｉｃａｓｔ  Ａｃｃｅｓｓ  Ｔｅｒｍｉｎａｌ  Ｉｄｅｎｔｉｆｉｅｒ）の取得およびセッションネゴシエーションを行う。このセッションネゴシエーションにより、制御部３０は、ＢＣＭＣＳの報知情報の間欠受信タイミングを決定する。
【００３６】
ステップＳ４では、制御部３０は、ステップＳ３でＵＡＴＩおよびセッションを取得できたか否かを判定する。この判定がＹＥＳの場合はステップＳ５に移り、判定がＮＯの場合はステップＳ３の処理を継続する。
【００３７】
ステップＳ５では、制御部３０は、ＥＶＤＯによる接続が確立できたので、通信要求を含む制御チャネルの待受けを開始する。
【００３８】
ステップＳ６では、制御部３０は、記憶部３４に予め記憶してある受信希望のＢＣＭＣＳコンテンツの配信時刻であるか否かを判定する。この判定がＹＥＳの場合はステップＳ７に移り、判定がＮＯの場合はステップＳ５の待受けを継続する。
【００３９】
ステップＳ７では、制御部３０は、ステップＳ５で開始したＥＶＤＯの待受けと共に、ステップＳ３で決定した間欠受信タイミングによりＢＣＭＣＳの報知情報の受信を試みるＤｕａｌ  Ｓｌｏｔｔｅｄ  Ｍｏｄｅに遷移する。
【００４０】
ステップＳ８では、制御部３０は、ステップＳ７で受信したＢＣＭＣＳの報知情報に基づいて、受信希望のＢＣＭＣＳコンテンツが配信されていることを確認すると、データ受信を開始する。
【００４１】
ステップＳ９では、制御部３０は、ステップＳ８のデータ受信が終了したか否かを判定する。この判定がＹＥＳの場合はステップＳ５に戻ってＥＶＤＯの待受けを再開する。一方、判定がＮＯの場合はステップＳ８のデータ受信を継続する。
【００４２】
［電源オフの場合］
次に、携帯電話機１の電源がオフである場合のＢＣＭＣＳ受信の処理を説明する。
図４は、本実施形態に係るＢＣＭＣＳの報知情報を受信する方法を示す図である。
【００４３】
報知情報は、基地局より所定の周期（第２の時間周期）、具体的には７ＣＣｃｙｃｌｅ（２．９８秒）で送信されている。携帯電話機１は、電波の送出を伴うセッションネゴシエーションを行わないため、この報知情報の送信タイミングを知ることができない。
【００４４】
そこで、制御部３０は、ＥＶＤＯのスキャンに成功した後、少なくとも７ＣＣｃｙｃｌｅの間、連続受信の状態を維持する。このことにより、この連続受信状態の間に、１度は報知情報を受信することができるため、これによりＢＣＭＣＳのデータ受信を開始することができる。
【００４５】
図５は、本実施形態に係る携帯電話機１の電源がオフである場合のＢＣＭＣＳ受信の処理を示すフローチャートである。
【００４６】
ステップＳ１１では、制御部３０は、記憶部３４に予め記憶してある受信希望のＢＣＭＣＳコンテンツの配信時刻が近付いているか否かを判定する。具体的には、数秒から１分程度の所定の時間（第１の時間）前となったか否かを判定する。この判定がＹＥＳの場合は、ＢＣＭＣＳの報知情報が送信されていると考えられるのでステップＳ１２に移り、判定がＮＯの場合は、ステップＳ１１で配信時刻の到来を待機する。
【００４７】
ステップＳ１２では、制御部３０は、ＣＤＭＡ２０００＿１ｘを起動させることなく、ＥＶＤＯを起動させる。ＣＤＭＡ２０００＿１ｘを起動させないことにより、音声通話等のＢＣＭＣＳ受信以外の通信を極力生じさせないように制御する。このとき、制御部３０は、起動されたＥＶＤＯを使用した送信処理が行われないように、通信部３１をさらに制御することが好ましい。
【００４８】
ステップＳ１３では、制御部３０は、ＥＶＤＯ通信が可能な周波数チャネルのスキャンを開始する。このとき、制御部３０は、図３のステップＳ１と同様に、記憶部３４に記憶されたＰＲＬに従って周波数を順にスキャンし、所定以上の電界強度をもつ周波数チャネルを捕捉する。
【００４９】
ステップＳ１４では、制御部３０は、ステップＳ１３でＥＶＤＯのスキャンに成功したか否かを判定する。この判定がＹＥＳの場合は、ＥＶＤＯ通信が可能な周波数チャネルが捕捉できたので、ステップＳ１５に移る。一方、判定がＮＯの場合は、ステップＳ１３に戻り周波数チャネルのスキャンを継続する。
【００５０】
ステップＳ１５では、制御部３０は、ステップＳ１４でスキャンに成功した周波数チャネルにて、ＥＶＤＯの連続受信を行う。前述のように、制御部３０は、報知情報の送信周期である７ＣＣｃｙｃｌｅ以上の間、連続受信状態を維持することにより、報知情報の受信を試みる。
【００５１】
ステップＳ１６では、制御部３０は、ステップＳ１５でＢＣＭＣＳの報知情報を受信できたか否かを判定する。この判定がＹＥＳの場合はステップＳ１７に移り、判定がＮＯの場合は、ステップＳ１３に戻り、他の周波数チャネルのスキャンを行う。具体的には、別のバンドクラスの周波数チャネルにて、報知情報の受信を試みる。
【００５２】
ステップＳ１７では、制御部３０は、ステップＳ１５で受信したＢＣＭＣＳの報知情報に基づいて、受信希望のＢＣＭＣＳコンテンツが配信されていることを確認すると、データ受信を開始する。
【００５３】
ステップＳ１８では、制御部３０は、ステップＳ１７のデータ受信が終了したか否かを判定する。この判定がＹＥＳの場合はステップＳ１９に移り、判定がＮＯの場合はステップＳ１７のデータ受信を継続する。
【００５４】
ステップＳ１９では、制御部３０は、起動中のＥＶＤＯを終了させ、全ての無線通信を止めた状態でステップＳ１１に戻る。
【００５５】
以上のように、本実施形態によれば、電波の送出を行うことなく、ＢＣＭＣＳの報知情報を受信し、コンテンツデータの受信を開始することができる。したがって、病院や交通機関等の公共ルールに適合しつつも、所定の時刻に配信されるコンテンツデータを受信することができる。
【００５６】
以上、本発明の実施形態について説明したが、本発明は前述した実施形態に限るものではない。また、本発明の実施形態に記載された効果は、本発明から生じる最も好適な効果を列挙したに過ぎず、本発明による効果は、本発明の実施形態に記載されたものに限定されるものではない。
【００５７】
前述の実施形態では、電源オフの状態でのＢＣＭＣＳ受信を説明したが、本発明の適用範囲はこれには限られない。例えば、通信機能を制限した電波オフモードの場合であってもよい。この場合、制御部３０は、操作部１１からの入力や表示部２１への表示を制限することにより、起動したＥＶＤＯを使用した送信処理の実行を抑制することができる。
【００５８】
携帯電話機１においては、送信処理は、受信処理に比べて非常に大きな電力を消費する。このような送信処理を行うことなくデータ受信ができるので、消費電力を低減させることができる。さらに、例えば電池残量が所定以下となり、機能制限されたモードに遷移した場合に本発明の構成を適用することにより、消費電力を抑えつつデータを受信することができる。
【００５９】
また、前述の実施形態では、通信部３１は１つのアンテナ３２により通信を行ったが、これには限られない。例えば、複数のアンテナ、さらには複数の通信部を備えて構成されてもよい。
【００６０】
さらに、前述の実施形態では、ＢＣＭＣＳ受信を行う周波数チャネルをスキャンして決定したが、これには限られない。例えば、記憶部３４は、電源オフや電波オフ等の電波非送出状態への遷移が指示される前に取得したパラメータ（チャネル情報）を記憶しておき、ＢＣＭＣＳの配信時刻となったら、制御部３０は、記憶部３４に記憶されているパラメータに基づいて、チャネルとの同期を取って通信セッションを確立してもよい。
【００６１】
また、前述の実施形態では、情報配信サービスの一例としてＢＣＭＣＳを用いた例を示したが、本発明の適用範囲はこれには限られず、その他の情報配信サービス、例えばＣＢＳ（Ｃｅｌｌ  Ｂｒｏａｄｃａｓｔ  Ｓｅｒｖｉｃｅ）等でもよい。
【符号の説明】
【００６２】
１  携帯電話機（無線通信装置）
１１  操作部
２１  表示部
３０  制御部
３１  通信部
３２  アンテナ
３３  音声制御部
３４  記憶部
【図１】
2010232906.tif 000003
【図２】
2010232906.tif 000004
【図３】
2010232906.tif 000005
【図４】
2010232906.tif 000006
【図５】
2010232906.tif 000007